(57)【特許請求の範囲】
【請求項１】
ディスクを搬送し、トレイの移動方向に対して傾斜した第１カム（２９）とトレイの移動方向に平行なラック（２８）をその裏面に設けたトレイ（２３）と、
ターンテーブルを保持する保持部（８）と、
駆動力を発生するモータ（１２）と、
前記モータの駆動力により動作する駆動ギヤ（４０）と、
前記駆動ギヤと噛合うことが可能なギヤ（５４）を有し、保持部を駆動する駆動部（５１）と、
前記駆動部の動作に伴い移動し、かつ前記第１カムと係合する第１ピン（６５）とを有し、
前記ディスクを前記ターンテーブルによりクランプした状態からディスクをアンロードする状態に移行するに際し、前記モータの駆動力により前記駆動ギヤを介して前記駆動部が前記保持部を駆動することにより前記ディスクのクランプ状態を解除するとともに、前記駆動部の動作に伴い前記第１ピンが移動し前記第１カムとの作用により前記トレイをアンロード方向に移動させることで前記ラックと前記駆動ギアとを非噛合状態から噛合状態とし、前記駆動ギアを介した駆動力により前記トレイをアンロード位置に移動させることを特徴とするディスクローディング装置。
【請求項２】
アンロード状態から前記ディスクをクランプした状態に移行するに際し、前記モータの駆動力を前記駆動ギヤを介し前記ラックに伝達し、前記トレイをローディング方向に移動させ、前記トレイが所定の位置に達すると前記第１カムと前記第１ピンの作用に基づき前記ギヤと前記駆動ギヤが非歯合状態から歯合状態となり、前記駆動部が前記モータの駆動力を受けて前記保持部を駆動することにより前記ディスクをクランプすることを特徴とする請求項１に記載のディスクローディング装置。
【請求項３】
前記駆動部は前記トレイの主面に対して傾斜して設けられる第２カム（５７）を有し、前記保持部は前記第２カムと係合する第２ピン（６１）を備え、前記駆動部は前記第２カムを介し前記第２ピンを移動させて前記保持部を駆動することを特徴とする請求項１または２に記載のディスクローディング装置。
【請求項４】
前記ラックには前記駆動ギアの退避部が設けられていることを特徴とする請求項１乃至３のいずれかに記載のディスクローディング装置。
【請求項５】
前記トレイには前記駆動ギアの退避部が設けられていることを特徴とする請求項１乃至３のいずれかに記載のディスクローディング装置。
【請求項６】
前記駆動部は前記トレイが移動する平面に対して平行な面内を移動することで前記保持部を前記トレイに近接および離間するように駆動することを特徴とする請求項１乃至５のいずれかに記載のディスクローディング装置。
【請求項７】
前記ディスクローディング装置を上面から投影した際、前記モータ、前記駆動ギヤ及び前記第１ピンはほぼ一列に配されることを特徴とする請求項１乃至６のいずれかに記載のディスクローディング装置。
【請求項８】
前記ディスクローディング装置を上面から投影した際、前記モータ、前記駆動ギヤ及び前記第１ピンは、前記ディスクローディング装置のある一辺にほぼ沿って配されることを特徴とする請求項１乃至７のいずれかに記載のディスクローディング装置。
【発明の詳細な説明】
【０００１】
【産業上の利用分野】
本発明は、ディスクを移動させる機能を備えたディスクローディング装置に関する。
【０００２】
【従来の技術】
コンパクトディスク、ビデオディスク等の各種ディスクを使用して、録音、再生処理等の作業を行う機器が最近急速に普及している。
【０００３】
この種の機器においてディスクをローディングする場合、ディスクが載置されたディスクトレイを機器本体の内部に押し込み、次いでディスクをクランプさせる自動機構が従来から各種提案されている。
【０００４】
【発明が解決しようとする課題】
このような機器では、ディスクトレイの移動とディスクのクランプを行うための機構が簡易であることが要求されている。
【０００５】
【課題を解決するための手段】
請求項１記載の発明によるディスクローディング装置は、ディスクを搬送し、トレイの移動方向に対して傾斜した第１カム（２９）とトレイの移動方向に平行なラック（２８）をその裏面に設けたトレイ（２３）と、ターンテーブルを保持する保持部（８）と、駆動力を発生するモータ（１２）と、前記モータの駆動力により動作する駆動ギヤ（４０）と、前記駆動ギヤと噛合うことが可能なギヤ（５４）を有し、保持部を駆動する駆動部（５１）と、前記駆動部の動作に伴い移動し、かつ前記第１カムと係合する第１ピン（６５）とを有し、前記ディスクを前記ターンテーブルによりクランプした状態からディスクをアンロードする状態に移行するに際し、前記モータの駆動力により前記駆動ギヤを介して前記駆動部が前記保持部を駆動することにより前記ディスクのクランプ状態を解除するとともに、前記駆動部の動作に伴い前記第１ピンが移動し前記第１カムとの作用により前記トレイをアンロード方向に移動させることで前記ラックと前記駆動ギアとを非噛合状態から噛合状態とし、前記駆動ギアを介した駆動力により前記トレイをアンロード位置に移動させることを特徴としている。
【０００６】
【発明の実施の形態】
以下、図面を参照しながら、実施例によって本発明を具体的に説明する。図１ないし図４は、ディスクローディング装置の全体を示すものである。これらの図に示すように、トレイ挿入窓１ａを有するディスクローディング装置の筐体１の中程には、ピックアップ本体２を位置決めする筒状の位置決め部３，３，…立設されている。
【０００７】
各位置決め部３には、バネ４によって上方に付勢されたスライドブッシュ５が挿入されており、位置決め部３の係止片６にスライドブッシュ５の下端部に形成された係止爪７が係止することにより、スライドブッシュ５の離脱が阻止されている（図３、図４参照）。
【０００８】
各スライドブッシュ５には、後述するピックアップ等を搭載したピックアップベース８のブッシュ係止孔９，９，…を介してビックアツプベース８が取付けられている。
【０００９】
ピックアップベース８には、軸１０にターンテーブル１１が固設されたモータ１２が取付けられている。モータ１２の近傍には、支持部材１３，１３が立設されており、これら支持部材１３には雄ネジを有するスライド軸１４の両端部が回転自在となるように取付けられている。
【００１０】
なお、このスライド軸１４はプーリ１５及びベルト１６を介して得られるステッピングモータ１７からの駆動力により、回転するようになっており、そのステッピングモータ１７の機能により後述するピックアップヘッド１９のディスクの所定のトラック位置までの移動が精度よく行われる。
【００１１】
このスライド軸１４には、雌ネジを有する支持部１８を介しピックアツプヘツド１９がスライド軸１４の軸方向に沿って移動自在に設けられている。なお、ピックアップヘッド１９の他端部には、凹状のガイド部２０が設けられてあり、このガイド部２０はピックアップベース８のガイド片２１に係止されている。
【００１２】
またピックアップヘッド１９は、縦方向に配されたバネ２２により、支持部１８に対して常時ターンテーブル１１側へ付勢されている。このように、バネ２２を縦方向に配することにより、バネ２２に要するスペースを削減することができる。
【００１３】
ピックアップ本体２の上部には、収納したディスクをローディング位置まで搬送するトレイ２３が矢印ａ，ｂ方向へ移動自在となるように配されている。トレイ２３の上面側には、ディスク収納部２４、ディスク取出し溝２５、ディスク記録面をのぞかせるための窓２６及び後述する支持ブリッジ３３の周縁部に突設された突設片３４に当接するストッパ２７，２７が設けられている。
【００１４】
一方、トレイ２３の下面側には、後述するピニオンギヤ４０に噛合うラックギヤ２８及びカム部２９を有したガイド溝３Ｏが設けられている。なお、ラックギヤ２８には、ピニオンギヤ４０の退避部としての欠歯部２８ａが設けられている。
【００１５】
またトレイ２３の下面側のガイド溝３０及びラックギヤ２８間には、アンロード位置にて後述する切換スイッチ３７の揺動片３８を矢印ｃ，ｄ側へ回動させるテーパ部３１が設けられている。
【００１６】
トレイ２３の上方には、インシュレータ３２ａが固設されたマグネットクランパ３２を回転自在に支持する支持ブリッジ３３が配されており、そのマグネットクランパ３２の位置はクランプ作業が完了したときに、ローディング時において、上記のターンテーブル１１と重ね合わさる位置とされている。
【００１７】
ピックアップ本体２の近傍には、ローディング機構３５が設けられている。ローディング機構３５には、後述する駆動モータ４７の駆動のオン／オフを切換る切換スイッチ３７が取付けられており、この切換スイッチ３７の揺動片３８が矢印ｃ，ｄ方向へ回動することによって、その駆動モータ４７のオン／オフ及び正または負の電力の供給の系路方向の切換えが行われる。なお、その揺動片３８への回動力は、上記のトレイ２３のテーパ部３１または後述するスライド部材５２の端部に形成されたテーパ部５２ａによって与えられる。
【００１８】
切換スイッチ３７の近傍には、軸３９を有する大ギヤ４１が回転自在に配されており、この軸３９にはピニオンギヤ４０が取付けられている。大ギヤ４１の近傍には、軸４２に取付けられたプーリ４３及び小ギヤ４４が配されており、大ギヤ４１はその小ギヤ４４に噛合っている。
【００１９】
プーリ４３の近傍には、駆動輪４５に小プーリ４６を取付けた駆動モータ４７が配されており、駆動モータ４７からの駆動力は小プーリ４６及びベルト４８を介してプーリ４３に伝えられるようになっている。
【００２０】
駆動モータ４７の近傍には、セット面４９に立設された係合突起５０，５０に沿って矢印ａ，ｂ方向へ移動するスライド部材５１が配されている。スライド部材５１には、スライド部５２と矩形片部５３とが設けられており、スライド部５２にはピニオンギヤ４０に噛合うラックギヤ５４及び後述するギヤ切換部材６６の係合ピン６４を変位させるカム部５５を有したガイド溝５６が形成されている。なお、ラックギヤ５４にはピニオンギヤ４０の退避部５２ａが設けられている。
【００２１】
矩形片部５３には、ローディング位置にあるピックアップ本体２をアンローディング位置まで押し下げるためのカム溝５７及びガイド溝５８が形成されている。なお、矩形片部５３のガイド溝５８には、筐体１の内面に突設されたピン５８ａに係合し、このピン５８ａによってもスライド部材５１がガイドされるようになっている。
【００２２】
スライド部材５１の近傍には、筐体１の内面に突設された支持部材５９，５９が設けられており、これらの支持部材５９にはピックアップベース８の端部に係止する係止部６０，６０及びスライド部材５１のカム溝５７に嵌合される嵌合ピン６１を有したスイングレバー６２が回転軸６３を中心として回動自在に取付けられている。
【００２３】
上記のピニオンギヤ４０の近傍には、係合ピン６４，６５を有したギヤ切換部材６６が矢印ｅ，ｆ方向へ移動自在となるように配されている。そして、一方の係合ピン６５は上記のトレイ２３のガイド溝３０に、他方の係合ピン６４は上記のスライド部５２のガイド溝５６にそれぞれ嵌り込んでおり、ギヤ切換部材６６が矢印ｅ，ｆ方向へ移動することにより、ピニオンギヤ４０とラックギヤ２８，５４との噛合わせが切換えられるようになっている。
【００２４】
このような構成のディスクローディング装置の動作を図５乃至図９を用いて説明する。まず、ローディング動作の初期状態においては、トレイ２３が図５に示す位置にある。またこの状態においては、ピニオンギヤ４０とスライド部５２のラックギヤ５４とが噛合っており、さらにそのピニオンギヤ４０はトレイ２３側のラックギヤ２８の欠歯部２８ａに退避している。
【００２５】
このとき、カム溝５７内に嵌合されているスイングレバー６２の嵌合ピン６１はＡの位置にある。またこのとき切換スイッチ３７の揺動片３８は、スライド部５２のテーパ部５２ａによって押付けられ、矢印ｄ方向へ回動し、ローディングを完了していることを電気的に検知している。
【００２６】
この状態からアンロード状態へ移行する場合、図示を省略したイジェクトボタンが操作されると、同じく図示省略のコントロール部から駆動モータ４７へ駆動電流が供給される。これにより、駆動モータ４７の駆動軸４５は時計方向へ回転し、この駆動モータ４７の駆動力がベルト４８及びプーリ４３を介して小ギヤ４４に伝えられ、この小ギヤ４４に噛合う大ギヤ４１が反時計方向へ回転する。これにともなってピニオンギヤ４０が同方向へ回転する。
【００２７】
このピニオンギヤ４０の回転により、これに噛合うラックギヤ５４を介してスライド部材５２が矢印ａ方向へ移動する。このとき、矩形片部５３のカム溝５７に嵌合しているスイングレバー６２の嵌合ピン６１がカム溝５７に沿ってＡの位置からＢの位置まで変位する（図６の状態）。
【００２８】
このとき、その嵌合ピン６１の変位にともなってスイングレバー６２が回動し、さらにスイングレバー６２の回動が進むと、ピックアップベース８の端部から離れた位置にある係止部６０がその端部に当接する。
【００２９】
そして、スイングレバー６２の係止部６０がピックアップベース８の端部に係止し、ピックアップ本体２をスライドブッシュ５内のバネ４の付勢力に抗して下方へ水平状態を保ったまま押下げる。さらにこのとき、スライド部５２のガイド溝５６のカム部５５がギヤ切換部材６６の係合ピン６４を矢印ｆ側へ変位させ、ギヤ切換部材６６を同方向へ移動させる。
【００３０】
これにより、ギヤ切換部材６６の係合ピン６５が変位し、トレイ２３のガイド溝３０のカム部２９を介してトレイ２３を矢印ｂ方向へ僅かに移動させる。これによって、トレイ２３のラックギヤ２８がピニオンギヤ４０に噛合う。
【００３１】
一方、スライド部５２のラックギヤ５４側は、この退避部５２ａにピニオンギヤ４０が位置することによりその噛合いが解かれる（図７の状態）。このとき、駆動モータ４７の駆動軸４５は回転を続けており、トレイ２３はピニオンギヤ４０及びラックギヤ２８を介して矢印ｂ方向へ移動する。
【００３２】
トレイ２３が矢印ｂ方向へ移動し、アンローディング位置の直前まで移動すると、卜レイ２３のテーパ部３１が切換スイッチ３７の揺動片３８を矢印ｃ側へ回動させる。これにより、駆動モータ４７への電力の供給が遮断される。さらに、トレイ２３が矢印ｂ方向へ移動すると、トレイ２３の各ストッパ２７が支持ブリッジ３３の突設片３４に当接し、これによりトレイ２３の移動が停止する（図８の状態）。
【００３３】
続いて、この図８の状態、すなわちアンローディング状態でトレイ２３のディスク収納部２４にディスクＤが収納された後、図示省略のプレイボタンが操作されると、上記の駆動モータ４７へ逆位相（例えば負の位相）の電流が供給される。そして、駆動モータ４７は上記の回転とは逆の回転（反時計方向）を行う。
【００３４】
この駆動モータ４７の駆動力により、駆動軸４５が反時計方向へ回転すると、小プーリ４６及びベルト４８を介してプーリ４３が同方向へ回転し、このプーリ４３の下方に位置する小ギヤ４４に噛み合っている大ギヤ４１が時計方向に回転する。これにより、ピニオンギヤ４０が同方向へ回転し、これと噛み合うラックギヤ２８を介してトレイ２３が矢印ａ方向へ移動する（図８の状態）。
【００３５】
トレイ２３がローディング位置の直前まで移動すると、トレイ２３のガイド溝３０のカム部２９がギヤ切換部材６６の係合ピン６５を矢印ｆ方向へ変位させる。これにともなってギヤ切換部材６６が同方向へ移動することにより、他方の係合ピン６４が同方向へ変位する。これにより、スライド部５２のカム部５５を介しスライド部５２が矢印ｂ方向へ僅かに移動し、スライド部５２のラックギヤ５４がピニオンギヤ４０に噛み合う（図７及び図８の状態）。このとき、ピニオンギヤ４０は、ラックギヤ２８の退避部２８ａにあり、ラックギヤ２８とピニオンギヤ４０との噛合いが解かれる。
【００３６】
次いで、スライド部５２はラックギヤ５４及びピニオンギヤ４０を介して矢印ｂ方向へ移動する。このとき、スイングレバー６２の嵌合ピン６１は、矩形片部５３のカム溝５７に沿って変位し、Ｂの位置からＡの位置へ移動する。これにともなって、スイングレバー６２が矢印ｇ方向へ回動することにより、各係止部６０が上方に変位する。
【００３７】
これら係止部６０の変位にともない、スライドブッシュ５内のバネ４による付勢力の抑制が解かれ、その付勢力によりピックアップベース８が上方へ押し上げられる。このような動作により、ピックアップ本体２がローディング位置たる最上位置に達する直前には、そのターンテーブル１１がディスクＤの中心部分に当接し、ディスクＤを上方に押し上げる。
【００３８】
そして、ピックアップ本体２がローディング位置に達すると同時に、ディスクＤの中心部はマグネットクランパ３２によってクランプされる（図５の状態）。このとき、ピックアップベース８は、バネ４によって付勢された４つのスライドブッシュ５により、水平に支持されるので、ディスクＤが水平にクランプされる。
【００３９】
この後、モータ１２が回転すると同時にピックアップヘッド１９の位置決めが行われ、ディスクＤからの情報の再生が行われる。この結果、ピックアップベース８が片持ち支持された場合に比べ、ピックアップヘッド１９とディスクＤとの距離が一定に保たれるので、情報の再生が確実となる。
【００４０】
このように、本実施例では、片側に設けたローディング機構により、水平状態を維持したままでピックアップベースを垂直方向に移動させるようにしたので、ミスクランプを起こすことがなく確実にディスクを所定位置にクランプすることができる。また、ローディング機構が片側だけで良いので、特別なカム機構を必要とすることなく機構的に簡単なものとなり、製造コストの低減やメンテナンスの容易化を図ることもできる。さらに、ピックアップベースが防振機能をもった付勢手段によって支持されているので、外的な衝撃に対しても十分な耐力を示すディスク装置が得られる。
【００４１】
なお、本実施例では、スライド部材５１とスイングレバー６２とで昇降規制手段を構成している。しかし、本発明はこれに限らず、両者の機能を兼ね備えた昇降規制手段を採用してもよい。スライド部材５１とスイングレバー６２とを一体にし昇降規制手段を構成してもよい。
【００４２】
【発明の効果】
以上に説明したように、請求項１に記載のディスクローディング装置においては、トレイの移動とクランプ機構の駆動の双方の駆動源を共用とすることで装置のコストを抑えることが可能となる。また、さらにモータ、駆動ギヤ及びピンなどの主たる部品をほぼ直線状に配することによりディスクローディング装置をコンパクトに構成することが可能となる。
【図面の簡単な説明】
【図１】本発明のディスクローディング装置の実施例を示す斜視図である。
【図２】図１のディスクローディング装置を示す分解斜視図である。
【図３】図１のディスクローディング装置の要部を示す側面図である。
【図４】図１のディスクローディング装置の要部を示す側面図である。
【図５】図１のディスクローディング装置における動作を説明する図であり、ローディング状態を示す。
【図６】図１のディスクローディング装置における動作を説明する図であり、アンローディング状態までの過程を示す。
【図７】図１のディスクローディング装置における動作を説明する図であり、アンローディング状態までの過程を示す。
【図８】図１のディスクローディング装置における動作を説明する図であり、アンローディング状態までの過程を示す。
【図９】図１のディスクローディング装置における動作を説明する図であり、アンローディング状態を示す。
【符号の説明】
１  筐体
２  ピックアップ本体
４  バネ
５  スライドブッシュ
８  ピックアップベース
１１  ターンテーブル
１２  モータ
１３  支持部材
１４  スライド軸
１５  プーリ
１６  ベルト
１７  ステッピングモータ
１９  ピックアップヘッド
２０  ガイド部
２２  バネ
２３  トレイ
２４  ディスク収納部
２５  デイスク取出し溝
２６  ローディング用窓
２７  ストツバ
２８  ラックギヤ
２９  カム部
３０  ガイド溝
３１  テーバ部
３２  クランパ
３３  支持ブリッジ
３５  ローディング機構
３７  切換スイッチ
３８  揺動片
４０  ピニオンギヤ
４１  大ギヤ
４３  プーリ
４４  小ギヤ
４７  駆動モータ
４８  ベルト
５１  スライド部材
５２  スライド部
５３  矩形片部
５４  ラックギヤ
５５  カム部
５６  ガイド溝
５７  カム溝
５８  ガイド溝
６２  スイングレバー
６４，６５  係合ビン
６６  ギヤ切換部材
Ｄ  ディスク
【図１】
0003574646.tif 000002
【図２】
0003574646.tif 000003
【図３】
0003574646.tif 000004
【図４】
0003574646.tif 000005
【図５】
0003574646.tif 000006
【図６】
0003574646.tif 000007
【図７】
0003574646.tif 000008
【図８】
0003574646.tif 000009
【図９】
0003574646.tif 000010